(57)【要約】      （修正有）【課題】運搬に支障がなく（積載効率を低減させることなく）、使用勝手上良好なほぞ用金具を提供する。【解決手段】横架材４に設けた受入穴１３に嵌挿して周側に設けた挿通孔を前記一方の軸組材に設けた貫通孔と位置させ、しかも、これらにボルト１５を嵌挿して前記横架材４に埋設する基材Ａａと、柱１１に設けた受入穴１７に嵌挿して周側に設けた挿通孔１２を前記柱１１に設けた貫通孔１８と一致させ、ほぞ材Ａｂより突出させる螺杆部９ｂを先端を開口して前記基材Ａａに設けた雌螺子ａに螺合する締付けボルト９とで構成する。そして、締付けボルト９を前記雌螺子ａに螺合させるとき、互いに係合する雌雄の位置決め手段の一方である係止穴を基材Ａａの前記先端に、他の一方である係止ピン８を前記ほぞ材Ａｂの先端に、前記各挿通孔５とそれに対応する前記各貫通孔１４，１８が互いに一致するときに互いに係合する配置関係にしてそれぞれ設ける。【選択図】図２
2004332382.tif 000002
【特許請求の範囲】
【請求項１】
互いに接合する一方の軸組材に設けた受入穴に嵌挿して周側に設けた挿通孔を前記一方の軸組材に設けた貫通孔と位置させ、しかも、これらに組付け杆を嵌挿して前記一方の軸組材に埋設する基材と、他の一方の軸組材に設けた受入穴に嵌挿して周側に設けた挿通孔を前記他の一方の軸組材に設けた貫通孔と一致させ、しかも、これらに組付け杆を嵌挿して前記他の一方の軸組材に埋設する筒状のほぞ材および該ほぞ材に嵌挿して頭部をほぞ材に係止させ、ほぞ材より突出させる螺杆部を先端を開口して前記基材に設けた雌螺子に螺合する締付けボルトとで構成し、締付けボルトを前記雌螺子に螺合させるとき、互いに係合する雌雄の位置決め手段の一方を基材の前記先端に、他の一方を前記ほぞ材の先端に、前記各挿通孔とそれに対応する前記各貫通孔が互いに一致するときに互いに係合する配置関係にしてそれぞれ設けた、木造建物の軸組材のほぞ用金具。
【発明の詳細な説明】
【０００１】
【産業上の利用分野】
本発明は、木造建物の軸組材のほぞ用金具に関するものである。
【０００２】
【従来の技術】
木造建物の軸組材に設けた受入穴に一端側を嵌挿して前記軸組材に止着するようにし、他の一端側を前記軸組材から突出させて他の軸組材との接合部とした構造のものがある（例えば、特許文献１）。
【０００３】
【特許文献１】
特開平１０−３３８９６８号公報（第４頁、図１、図２）
【０００４】
【発明が解決しようとする課題】
前記従来例のように金具を用いた、軸組材の所謂金属接合は、工場において当該金具を軸組材に組付けて出荷することにより現場での作業効率を高めることができるものであるが、反面、軸組材に組付けると、その一部が軸組材より突出し、該突出部分が運搬車への積載効率を低減させることがある（殊に、軸組材の側面に組付ける場合）。本発明は斯様な従来例の欠点を回避すると共に、使用勝手上良好なほぞ用金具を提供することを目的として創案したものである。
【０００５】
【課題を解決するための手段】
互いに接合する一方の軸組材に設けた受入穴に嵌挿して周側に設けた挿通孔を前記一方の軸組材に設けた貫通孔と位置させ、しかも、これらに組付け杆を嵌挿して前記一方の軸組材に埋設する基材と、他の一方の軸組材に設けた受入穴に嵌挿して周側に設けた挿通孔を前記他の一方の軸組材に設けた貫通孔と一致させ、しかも、これらに組付け杆を嵌挿して前記他の一方の軸組材に埋設する筒状のほぞ材および該ほぞ材に嵌挿して頭部をほぞ材に係止させ、ほぞ材より突出させる螺杆部を先端を開口して前記基材に設けた雌螺子に螺合する締付けボルトとで構成し、締付けボルトを前記雌螺子に螺合させるとき、互いに係合する雌雄の位置決め手段の一方を基材の前記先端に、他の一方を前記ほぞ材の先端に、前記各挿通孔とそれに対応する前記各貫通孔が互いに一致するときに互いに係合する配置関係にしてそれぞれ設けた構成としたものである。
【０００６】
【発明の実施の形態】
図面は、本発明に係る、木造建物の軸組材のほぞ用金具の一実施形態を示し、図１は分解斜視図、図２は使用状態を示す断面図である。
【０００７】
本発明に係るほぞ用金具Ａは、基材Ａａとほぞ材Ａｂで構成し、基材Ａａは円筒状の主体筒１の一端に雌螺子ａを備えた螺子筒２を嵌着して構成したもので、前記一端すなわち先端面Ａａ´には、前記螺子筒２の一端外周縁に設けた切欠を螺子筒２で部分的に囲むようにして位置決め用の係止穴（請求項でいう「位置決め手段の雌材」）３を設け、後端側の周側には横架材（請求項でいう「一方の軸組材」）４に止着するための挿通孔５を設けたものである。
【０００８】
また、前記ほぞ材Ａｂは基材Ａａを構成する前記主体筒１と同径の主体筒６の一端にリング片７Ａを嵌着して構成したもので、前記一端すなわち、先端面Ａｂ´には前記リング片７Ａに立設するようにして、前記係止穴３に嵌挿する、位置決め用の係止ピン（請求項でいう「位置決め手段の雄材」）８を突設し、リング片７Ａで構成した窓孔を各主体筒１，６や螺子筒２と同軸上に位置させて頭部９ａと螺杆部９ｂとで成る締付けボルト９の螺杆部９ｂ挿通用の透孔１０とすると共に、主体筒６の適所には柱（請求項でいう「他の一方の軸組材」）１１に止着するための挿通孔１２，１２を設けたものである。
【０００９】
そして、前記横架材４に設けた受入穴１３に基材Ａａを嵌挿して、該基材Ａａの挿通孔５と横架材４に設けた貫通孔１４とを一致させ、これらにボルト１５を通してボルト先端にナット１６を螺合締付けるようにして基材Ａａを横架材４に埋設して用いる。この埋設作業は、概し、プレカット工場で行われ、基材Ａａの先端面Ａａ´は横架材４の側面より突出していないので、突出していることによる取扱い上の煩雑さ（殊に、積層する際に邪魔になって、トラックへの積荷量がその分減少する）を回避した状態となる。
【００１０】
そして、現場において、ほぞ材Ａｂの先端面Ａｂ´に突設した係止ピン８を係合して該先端面Ａｂ´を横架材４側に取付けた基材Ａａの先端面Ａａ´と重ね合わせ、この重ね合わせ状態でほぞ材Ａｂに、すなわち、ほぞ材Ａｂの主体筒６に締付けボルト９を嵌挿して螺杆部９ｂを透孔１０を通じて突出させて基材Ａａ側の雌螺子ａ（螺子筒２で構成する）に螺合締付けると、ほぞ材Ａｂのリング片７Ａで構成した先端部片７は、締付けボルト９の頭部９ａ（ほぞ材Ａｂに係止した）と基材Ａａを構成する螺子筒２部とで挟持され、すなわち、基材Ａａとほぞ材Ａｂは互いに締付けられ、ほぞ材Ａｂは横架材４に突出状態にして組付けられる。
【００１１】
このほぞ材Ａｂを柱１１に設けた受入穴１７に嵌挿するようにして横架材４を柱１１上に載置し、係止ピン８と係止穴３との係合関係によって互いに一致する配置関係にしておいた、互いに一致する挿通孔１２と柱１１側に設けた貫通孔１８にドリフトピン１９を嵌挿打込むことによって横架材４と柱１１は互いに接合し、本発明に係るほぞ用接合金具Ａを用いた軸組材の接合装置を得られるのである。
【００１２】
実施形態の場合は、前記横架材４に他の横架材４´を接合するための接合金具２０を横架材４に取付けるための前記ボルト１５とナット１６を用いて該接合金具２０と共に基材Ａａを横架材４に取付けたもので、基材Ａａを横架材４に埋設状態で取付けることにより横架材４の一方の側面４ａだけ接合金具２０が突出し、下面４ｂからほぞ用金具が突出しないから、その分、横架材４からの運送上邪魔な突出部が低減し、積載量を多くできて、運搬効率を高めることができるのである。
【００１３】
また、実施形態にあっては、他のボルト１５´とナット１６´とで接合金具２０を横架材４に止着するためのボルト１５とナット１６を用いて基材Ａａを横架材４に止着し、埋設するようにしているが、止着手段は実施形態のようなボルト手段に限定する必要がなく、また、柱１１の受入穴１７に嵌挿するほぞ材Ａｂの柱１１に対する止着手段も同様で、ドリフトピン１９に代えてボルトとナットを用いる手段もある。
【００１４】
いずれにしても、実施形態でいえば、係止穴３を設けた基材Ａａと横架材４が設計通りの位置関係にして組付けられ、また、ほぞ材Ａｂが柱１１と設計通りの配置関係にして組付けられるように係止穴３と係止ピン８は係合するようにしてある。従って、基材Ａａとほぞ材Ａｂで成るほぞ用接合金具Ａ側の挿通孔５，１２と横架材４や柱１１側の貫通孔１４，１８は係止穴３と係止ピン８の係合位置に存するとき、設計通りの位置に配置されるようになっている。
【００１５】
実施態様は位置決め手段の一方である係止穴３と他方である係止ピン８をそれぞれ単一にしてあるが複数個にしても元より支障はない。
【００１６】
因みに、実施形態にあっては、挿通孔５と１２は互いに同方向に配置してあるが、互いに直角方向に配置しても良く、直角方向でなくとも交差方向に配置しても良く（もとより、左様な配置関係のとき係止ピン８が係止穴３に係合することになる）、また、係止穴３を雌螺子ａ乃至主体筒１の軸線廻りに複数個を設けて複数個の係止穴中の所望のものに係止ピン８を係合することにより挿通孔５と挿通孔１２の互いの方向的な配置関係を変えられるようにしても良い。この場合は、実施形態でいえばドリフトピン１９やボルト１５の配置方向すなわち、柱１１に対する横架材４，４´の配置方向が変わることになる（変わらない場合は、ドリフトピン１９やボルト１５の配置方向が変わることになる）から、軸組材の何通りかの接合方向に対応できるほぞ用金具を提供できる。
【００１７】
なお、実施形態のほぞ金具Ａは横架材４と柱１１とを接合するために用いているが、軸組材同士の接合であれば、いずれにも適用できることはいうまでもないところである。
【００１８】
また、実施形態では、基材Ａａ側に係止穴３を、ほぞ材Ａｂ側に係止ピン８を設けて雌雄の位置決め手段としているが、位置決め手段は実施形態の形態に限定する必要はない。
【００１９】
そしてまた、基材Ａａは横架材４の下面４ａと所謂面一となって埋設するように、すなわち、横架材４に没入するように構成してあるが、横架材（一方の軸組材）からの基材の多少の突出量は許されるものである。必ずしも厳密な「埋設」を意味するものではない。
【００２０】
【発明の効果】
本発明は前記の通りの構成であるから、所謂ほぞがあることによる現場への搬送上の欠点を回避できる製品を提供でき、また、現場において基材に対しほぞ材を螺合するだけで軸組材にほぞを突設することができるから、現場作業を支障なく行うことができる。そして、基材とほぞ材は、別材の締付け螺子を用いて組付け、かつ、組付け前に位置決め手段を用いて各部の相対的な位置を設定するものであるから、軸組材の所謂ほぞ接合作業に支障のない金具を提供できる。
【図面の簡単な説明】
【図１】分解斜視図。
【図２】使用状態を示す断面図。
【符号の説明】
Ａａ    基材
Ａｂ    ほぞ材
３      係止穴
４      横架材
８      係止ピン
９      締付けボルト
１１    柱
１３    受入穴
１４    貫通孔
１７    受入孔
１８    貫通孔
【図１】
2004332382.tif 000003
【図２】
2004332382.tif 000004